(57)【要約】【課題】低コスト且つ高い美観を実現することができる窓ガラス、窓ガラス電極取出装置、窓ガラスの導電性付加方法、及び窓ガラス電極取出方法を提供する。【解決手段】窓ガラス１は、上端面１ａに形成された最大深さ  ０．２〜５．０ｍｍ、幅  ０．５〜４．５ｍｍの湾曲状凹部１ｂと、湾曲状凹部１ｂ内に注入された導電性材料により形成された電極２とを備える。湾曲状凹部１ｂは、上端面１ａが凸部１０ａを有するダイヤモンドホイール１０を用いて研磨加工されることによって形成され、この形成された湾曲状凹部１ｂ内には導電性材料が先端の直径が１〜２ｍｍであるノズルを用いて吐出されることにより注入されて電極２が形成される。電極取出装置３７は、ウインドレギュレータにより昇降される窓ガラス１の上端面１ａに設けられた電極２に導電性接着剤３８を介して接続される導電性端子３９を備える。【選択図】図２
2007137091.tif 000002
【特許請求の範囲】
【請求項１】
ウインドレギュレータにより昇降される窓ガラスにおいて、上端面に形成された最大深さ  ０．２〜５．０ｍｍ、幅  ０．５〜４．５ｍｍの凹部と、前記凹部内に注入された導電性材料により形成された電極とを備えることを特徴とする窓ガラス。
【請求項２】
前記凹部は、前記窓ガラスの上端面が凸部を有するダイヤモンドホイールを用いて研磨加工されることによって形成されることを特徴とする請求項１記載の窓ガラス。
【請求項３】
前記導電性材料は、先端の直径が１〜２ｍｍであるノズルを用いて吐出されることにより前記凹部内に注入されることを特徴とする請求項１又は２記載の窓ガラス。
【請求項４】
ウインドレギュレータにより昇降される窓ガラスにおいて、上端面が略半円状に研磨加工され、前記略半円状に研磨加工された上端面に沿って装着された導電性材料から成る電極としての被覆部材を備えることを特徴とする窓ガラス。
【請求項５】
前記被覆部材はロールフォーミング工法を用いて作製されることを特徴とする請求項４記載の窓ガラス。
【請求項６】
ウインドレギュレータにより昇降される窓ガラスにおいて、上端面にインクジェット方式により形成された導電性材料から成る電極を備えることを特徴とする窓ガラス。
【請求項７】
ウインドレギュレータにより昇降される窓ガラスの上端面に設けられた電極から取り出す窓ガラス電極取出装置において、前記上端面に設けられた電極に導電性接着剤を介して接続される端子を備えることを特徴とする窓ガラス電極取出装置。
【請求項８】
ウインドレギュレータにより昇降される窓ガラスの上端面に設けられた電極から取り出す窓ガラス電極取出装置において、前記上端面に設けられた電極に導通する導通部と、前記窓ガラスの上端面の近傍にあけられた貫通孔の内面に引っ掛けられる引っ掛け部と、前記貫通孔に挿通されると共に前記引っ掛け部に導通する端子とを備えることを特徴とする窓ガラス電極取出装置。
【請求項９】
ウインドレギュレータにより昇降される窓ガラスの導電性付加方法において、前記窓ガラスの上端面に最大深さ  ０．２〜５．０ｍｍ、幅  ０．５〜４．５ｍｍの凹部を形成する凹部形成ステップと、前記形成された凹部内に導電性材料を注入する注入ステップとを有することを特徴とする窓ガラスの導電性付加方法。
【請求項１０】
前記凹部形成ステップにおいて、前記上端面を凸部を有するダイヤモンドホイールを用いて研磨加工することによって前記凹部を形成することを特徴とする請求項９記載の窓ガラスの導電性付加方法。
【請求項１１】
前記注入ステップにおいて、前記導電性材料を先端の直径が１〜２ｍｍであるノズルを用いて吐出して、前記凹部内に注入することを特徴とする請求項９又は１０記載の窓ガラスの導電性付加方法。
【請求項１２】
ウインドレギュレータにより昇降される窓ガラスの導電性付加方法において、前記窓ガラスの上端面を略半円状に研磨加工する研磨加工ステップと、前記略半円状に研磨加工された上端面に沿って導電性材料から成る電極としての被覆部材を装着する装着ステップとを備えることを特徴とする窓ガラスの導電性付加方法。
【請求項１３】
前記被覆部材をロールフォーミング工法を用いて作製することを特徴とする請求項１２記載の窓ガラスの導電性付加方法。
【請求項１４】
ウインドレギュレータにより昇降される窓ガラスの導電性付加方法において、上端面に導電性材料から成る電極をインクジェット方式により形成する電極形成ステップを有することを特徴とする請求項１３記載の窓ガラスの導電性付加方法。
【請求項１５】
ウインドレギュレータにより昇降される窓ガラスの上端面に設けた電極から取り出す窓ガラス電極取出方法において、前記電極に導電性接着剤を介して端子を接続する接続ステップを備えることを特徴とする窓ガラス電極取出方法。
【請求項１６】
ウインドレギュレータにより昇降される窓ガラスの上端面に設けた電極から取り出す窓ガラス電極取出方法において、前記窓ガラスの上端面の近傍に貫通孔をあける貫通ステップと、前記貫通孔の内面にクリップ形状部の両端部を引っ掛ける引っ掛けステップと、前記貫通孔に端子を挿通する挿通ステップと、前記クリップ形状部を前記電極及び前記端子に導通する導通ステップとを備えることを特徴とする窓ガラス電極取出方法。
【発明の詳細な説明】
【技術分野】
【０００１】
本発明は、窓ガラス、窓ガラス電極取出装置、窓ガラスの導電性付加方法、及び窓ガラス電極取出方法に関し、特に、ウインドレギュレータにより昇降される窓ガラス、ウインドレギュレータにより昇降される窓ガラスの上端面に設けられた電極から取り出す窓ガラス電極取出装置、ウインドレギュレータにより昇降される窓ガラスの導電性付加方法、及びウインドレギュレータにより昇降される窓ガラスの上端面に設けた電極から取り出す窓ガラス電極取出方法に関する。
【背景技術】
【０００２】
従来のウインドレギュレータにおいて、モータの回転力はギアを介してドラムに伝達され、このドラムの回転によりワイヤ全体が移動して、ホルダ及びブラケットを介してワイヤに連結された窓ガラスが上下方向に移動する。ここで、モータの回転方向を正転／逆転と切替えることにより、窓ガラスの昇降を実現している。
【０００３】
このウインドレギュレータにおいて、窓ガラスを上昇させる際に首や手を窓ガラスと窓枠との間に挟み込むのを防止する安全装置が設けられたものがある。
【０００４】
この安全装置は、モータの回転数や窓ガラスにかかる圧力を検知することにより挟み込みの発生を検知し、窓ガラスを停止又は下降させる。しかしながら、上記安全装置では、首や手が接触しただけでは圧力が低い場合があり、モータの停止が間に合わない場合がある。
【０００５】
そこで安全装置として、窓ガラスと窓枠との間に空気以外の何か（人体などの誘電率の大きなもの）が入り込んだ状態を、静電容量の変化により判別し、挟み込みが発生しうる状態（挟み込み可能性）を前もって非接触状態のうちに検出して、駆動手段によってモータの回転を停止あるいは反転させることを可能にするものが提案されている。ここで、窓ガラスの上端部に設けられた第１の電極は、窓ガラスが下降した際に窓枠との間に生じる隙間部分をカバーするように設け、車体側に設けられた第２の電極については、窓枠のガラスランに配置することで、窓ガラスの上端部に設けられた第１の電極との間にコンデンサを形成している。ここで、第１の電極としての窓ガラス電極７１は、窓ガラスの上端部に各種導電性物質を設けることによって形成され、測定電圧発生回路７２と接続されている（図７）（例えば、特許文献１参照）。
【０００６】
また、窓ガラスの製造時に予め電極を埋め込むことにより形成された窓ガラス電極（図８における８０）（例えば、特許文献２参照）や、窓ガラスの側面に設けられた窓ガラス電極（図９における９０）（例えば、特許文献３，４参照）や、窓ガラスの上端部に沿って貼着した窓ガラス電極（図１０における１００，１０１）（例えば、特許文献５，６参照）等が既に提案されている。
【０００７】
さらに、窓ガラス電極として窓ガラスの上端部に各種導電性物質を設ける代わりに、図１１に示すように、窓ガラス１１２の上端に焼付け固定された一対の電極１１４，１１４ａを有するタッチセンサ１１３や圧電センサ等を窓ガラス１１２の上端に形成された凹部１１２ａ内に設けること（例えば、特許文献７，８参照）や、図１２に示すように、窓ガラス１２１の上端部に圧電センサ１２２を緩衝材１２３を介して窓ガラス１２１に装着すること（例えば、特許文献９参照）等が既に提案されている。
【特許文献１】特開平１０−１１０５７４号公報
【特許文献２】特開昭６０−７０６２２号公報
【特許文献３】特開昭５７―２０９３８２号公報
【特許文献４】国際公開第９９／６３１９２号公報
【特許文献５】特開平１１−３３４３５９号公報
【特許文献６】特開平１１−３６７０９号公報
【特許文献７】特開昭６０−１１９８８３号公報
【特許文献８】特開２００１−１１５７３８号公報
【特許文献９】特開平１０−７６８４３号公報
【発明の開示】
【発明が解決しようとする課題】
【０００８】
しかしながら、窓ガラスに低コスト且つ美観が優れた電極を形成することは困難である。上述した特許文献には、窓ガラスに導電性物質を貼付、塗布、印刷などして所定の位置に設けることにより電極を形成することについては述べられているものの、窓ガラスに低コスト且つ美観が優れた電極を形成するための詳しい方法については述べられていない。
【０００９】
また、上述した特許文献には、窓ガラスに形成された電極から取り出す電極取出装置及び電極取出方法についても述べられていない。
【００１０】
本発明の目的は、低コスト且つ高い美観を実現することができる窓ガラス、窓ガラス電極取出装置、窓ガラスの導電性付加方法、及び窓ガラス電極取出方法を提供することにある。
【課題を解決するための手段】
【００１１】
上記目的を達成するために、請求項１記載の窓ガラスは、ウインドレギュレータにより昇降される窓ガラスにおいて、上端面に形成された最大深さ  ０．２〜５．０ｍｍ、幅  ０．５〜４．５ｍｍの凹部と、前記凹部内に注入された導電性材料により形成された電極とを備えることを特徴とする。
【００１２】
請求項２記載の窓ガラスは、請求項１記載の窓ガラスにおいて、前記凹部は、前記窓ガラスの上端面が凸部を有するダイヤモンドホイールを用いて研磨加工されることによって形成されることを特徴とする。
【００１３】
請求項３記載の窓ガラスは、請求項１又は２記載の窓ガラスにおいて、前記導電性材料は、先端の直径が１〜２ｍｍであるノズルを用いて吐出されることにより前記凹部内に注入されることを特徴とする。
【００１４】
上記目的を達成するために、請求項４記載の窓ガラスは、ウインドレギュレータにより昇降される窓ガラスにおいて、上端面が略半円状に研磨加工され、前記略半円状に研磨加工された上端面に沿って装着された導電性材料から成る電極としての被覆部材を備えることを特徴とする。
【００１５】
請求項５記載の窓ガラスは、請求項４記載の窓ガラスにおいて、前記被覆部材はロールフォーミング工法を用いて作製されることを特徴とする。
【００１６】
上記目的を達成するために、請求項６記載の窓ガラスは、ウインドレギュレータにより昇降される窓ガラスにおいて、上端面にインクジェット方式により形成された導電性材料から成る電極を備えることを特徴とする。
【００１７】
上記目的を達成するために、請求項７記載の窓ガラス電極取出装置は、ウインドレギュレータにより昇降される窓ガラスの上端面に設けられた電極から取り出す窓ガラス電極取出装置において、前記上端面に設けられた電極に導電性接着剤を介して接続される端子を備えることを特徴とする。
【００１８】
上記目的を達成するために、請求項８記載の窓ガラス電極取出装置は、ウインドレギュレータにより昇降される窓ガラスの上端面に設けられた電極から取り出す窓ガラス電極取出装置において、前記上端面に設けられた電極に導通する導通部と、前記窓ガラスの上端面の近傍にあけられた貫通孔の内面に引っ掛けられる引っ掛け部と、前記貫通孔に挿通されると共に前記引っ掛け部に導通する端子とを備えることを特徴とする。
【００１９】
上記目的を達成するために、請求項９記載の窓ガラスの導電性付加方法は、ウインドレギュレータにより昇降される窓ガラスの導電性付加方法において、前記窓ガラスの上端面に最大深さ  ０．２〜５．０ｍｍ、幅  ０．５〜４．５ｍｍの凹部を形成する凹部形成ステップと、前記形成された凹部内に導電性材料を注入する注入ステップとを有することを特徴とする。
【００２０】
請求項１０記載の窓ガラスの導電性付加方法は、請求項９記載の窓ガラスの導電性付加方法において、前記凹部形成ステップにおいて、前記上端面を凸部を有するダイヤモンドホイールを用いて研磨加工することによって前記凹部を形成することを特徴とする。
【００２１】
請求項１１記載の窓ガラスの導電性付加方法は、請求項９又は１０記載の窓ガラスの導電性付加方法において、前記注入ステップにおいて、前記導電性材料を先端の直径が１〜２ｍｍであるノズルを用いて吐出して、前記凹部内に注入することを特徴とする。
【００２２】
上記目的を達成するために、請求項１２記載の窓ガラスの導電性付加方法は、ウインドレギュレータにより昇降される窓ガラスの導電性付加方法において、前記窓ガラスの上端面を略半円状に研磨加工する研磨加工ステップと、前記略半円状に研磨加工された上端面に沿って導電性材料から成る電極としての被覆部材を装着する装着ステップとを備えることを特徴とする。
【００２３】
請求項１３記載の窓ガラスの導電性付加方法は、請求項１２記載の窓ガラスの導電性付加方法において、前記被覆部材をロールフォーミング工法を用いて作製することを特徴とする。
【００２４】
上記目的を達成するために、請求項１４記載の窓ガラスの導電性付加方法は、ウインドレギュレータにより昇降される窓ガラスの導電性付加方法において、上端面に導電性材料から成る電極をインクジェット方式により形成する電極形成ステップを有することを特徴とする。
【００２５】
上記目的を達成するために、請求項１５記載の窓ガラス電極取出方法は、ウインドレギュレータにより昇降される窓ガラスの上端面に設けた電極から取り出す窓ガラス電極取出方法において、前記電極に導電性接着剤を介して端子を接続する接続ステップを備えることを特徴とする。
【００２６】
上記目的を達成するために、請求項１６記載の窓ガラス電極取出方法は、ウインドレギュレータにより昇降される窓ガラスの上端面に設けた電極から取り出す窓ガラス電極取出方法において、前記窓ガラスの上端面の近傍に貫通孔をあける貫通ステップと、前記貫通孔の内面にクリップ形状部の両端部を引っ掛ける引っ掛けステップと、前記貫通孔に端子を挿通する挿通ステップと、前記クリップ形状部を前記電極及び前記端子に導通する導通ステップとを備えることを特徴とする。
【発明の効果】
【００２７】
請求項１記載の窓ガラス及び請求項９記載の窓ガラスの導電性付加方法によれば、上端面に最大深さ  ０．２〜５．０ｍｍ、幅  ０．５〜４．５ｍｍの凹部が形成され、凹部内に導電性材料が注入されて電極が形成されるので、低コスト且つ高い美観を実現することができる。
【００２８】
請求項２記載の窓ガラス及び請求項１０記載の窓ガラスの導電性付加方法によれば、凹部は、窓ガラスの上端面が凸部を有するダイヤモンドホイールを用いて研磨加工されることによって形成されるので、低コスト且つ美観が高い凹部を形成することができる。
【００２９】
請求項３記載の窓ガラス及び請求項１１記載の窓ガラスの導電性付加方法によれば、導電性材料は、先端の直径が１〜２ｍｍであるノズルを用いて吐出されることにより凹部内に注入されるので、低コスト且つ美観が高い電極を形成することができる。
【００３０】
請求項４記載の窓ガラス及び請求項１２記載の窓ガラスの導電性付加方法によれば、上端面が略半円状に研磨加工され、略半円状に研磨加工された上端面に沿って導電性材料から成る電極としての被覆部材が装着されるので、低コスト且つ美観が高い電極を形成することができる。
【００３１】
請求項５記載の窓ガラス及び請求項１３記載の窓ガラスの導電性付加方法によれば、被覆部材はロールフォーミング工法を用いて作製されるので、容易に窓ガラスの端部の形状に合った被覆部材を作製することができる。
【００３２】
請求項６記載の窓ガラス及び請求項１４記載の窓ガラスの導電性付加方法によれば、上端面にインクジェット方式により導電性材料から成る電極が形成されるので、低コスト且つ高い美観を実現することができる。
【００３３】
請求項７記載の窓ガラス電極取出装置及び請求項１５記載の窓ガラス電極取出方法は、窓ガラスの上端面に設けられた電極に導電性接着剤を介して端子が接続されるので、低コスト且つ高い美観を実現することができる。
【００３４】
請求項８記載の窓ガラス電極取出装置及び請求項１６記載の窓ガラス電極取出方法は、貫通孔が窓ガラスの上端面の近傍にあけられ、貫通孔の内面にクリップ形状部の両端部が引っ掛けられ、端子が貫通孔に挿通され、クリップ形状部は電極及び端子に導通するので、低コスト且つ高い美観を実現することができる。
【発明を実施するための最良の形態】
【００３５】
以下、本発明の実施の形態に係る窓ガラスを図面を参照しながら説明する。
【００３６】
図１は、本発明の実施の形態に係る窓ガラスの構成を概略的に示す図である。
【００３７】
図１において、窓ガラス１は、車両のドアに昇降可能に取り付けられる。そして、窓ガラス１は、端面Ａ，Ｂ，Ｃ（上端面１ａ）に設けられた図２で後述する電極２と、図３または図６で後述する導電性端子の導線５を窓ガラス１に固定する固定端子４とを備える。固定端子４は、端面Ａ又は端面Ｃの近傍（窓ガラス１のドア本体から露出しない部分）に設けられる。なお、図１において、固定端子４は端面Ａの近傍に設けられている。
【００３８】
上記固定端子４を介して導線５を窓ガラス１に固定することにより、窓ガラス１の昇降時に発生する導線５の張力が導電性端子にかからないようにすることができる。
【００３９】
図２は、図１の窓ガラスを説明する断面図であり、（ａ）は窓ガラスの上端面に形成された湾曲状凹部に導電性材料を注入する方法を説明する図であり、（ｂ）は窓ガラスの上端面に湾曲状凹部を形成する方法を説明する図である。
【００４０】
図２（ａ）において、窓ガラス１は、一般的に、厚さ２．５〜６．０ｍｍである。そして、窓ガラス１は、上端面１ａに形成された最大深さ  ０．２〜５．０ｍｍ、幅  ０．５〜４．５ｍｍの湾曲状凹部１ｂと、湾曲状凹部１ｂ内に注入された導電性材料により形成される電極２とを備える。ここで、湾曲状凹部１ｂは、最大深さが５．０ｍｍよりも深い又は幅が４．５ｍｍより大きいと研磨加工に時間を要しコスト高となってしまうのに対して、最大深さが０．２ｍｍよりも浅い又は幅が０．５ｍｍより小さいと導電性材料を注入するのが困難となる。
【００４１】
湾曲状凹部１ｂは、図２（ｂ）に示すように、上端面１ａが凸部１０ａを有するダイヤモンドホイール１０を用いて研磨加工されることによって形成される。なお、図２（ｃ）に示すようなダイヤモンドホイール１０を用いて、上端面１ａを略半円状にする加工及び湾曲状凹部１ｂを形成する加工を同時に行ってもよい。窓ガラス１には、研磨加工の後に加熱曲げ加工と空冷強化加工が施される。
【００４２】
窓ガラス１の上端面１ａに形成された湾曲状凹部１ｂ内には導電性材料が先端の直径が１〜２ｍｍであるノズル２０（図２（ａ））を用いて吐出されることにより注入されて電極２が形成される。
【００４３】
図３は、図２における電極から取り出す電極取出装置の構成を概略的に示す断面図である。
【００４４】
図３において、電極取出装置３７は、ウインドレギュレータにより昇降される窓ガラス１の上端面１ａに設けられた電極２に導電性接着剤３８を介して接続される導電性端子３９と、導電性端子３９の一端に接続された導線５とを備える。
【００４５】
なお、電極取出装置３７は、上端面１ａの端面Ａ（図１）又は端面Ｃ（図１）の近傍（ドア本体から露出しない部分）に設けられる。図１では、固定端子４が端面Ａの近傍に設けられているので、電極取出装置３７も端面Ａの近傍に設けられている。
【００４６】
本実施の形態によれば、上端面１ａに最大深さ  ０．２〜５．０ｍｍ、幅  ０．５〜４．５ｍｍの湾曲状凹部１ｂが形成され、湾曲状凹部１ｂ内に導電性材料が注入されて電極２が形成されるので、低コスト且つ高い美観を実現することができる。
【００４７】
本実施の形態によれば、窓ガラス１の上端面１ａに設けられた電極２に導電性接着剤３８を介して導電性端子３９が接続されるので、低コスト且つ高い美観を実現することができる。
【００４８】
また、導電性端子３９は、窓ガラス１の両表面と接する部分を内部に湾曲させ、窓ガラス１を挟むようにすれば、導電性端子３９をより強く窓ガラス１に固着することができる。
【００４９】
本実施の形態では、上端面１ａに形成された湾曲状凹部１ｂ内に導電性材料が注入されて電極２が形成されるが、これに限定されるものではなく、図４に示すように、上端面１ａが略半円状に研磨加工され、この略半円状に研磨加工された上端面１ａ（ラウンドエッジ）に沿って、ロールフォーミング工法等を用いて作製された導電性材料から成る電極としての被覆部材４０が装着されていてもよい。
【００５０】
本実施の形態では、上端面１ａをダイヤモンドホイール１０を用いて研磨加工しているが、このダイヤモンドホイール１０は、特に限定されるものではなく、例えば、カップホイール型であっても円筒ホイール型であってもよい。
【００５１】
本実施の形態では、湾曲状凹部１ｂ内に導電性材料を注入することにより電極２が形成されるが、これに限定されるものではなく、湾曲状凹部１ｂが形成されていない上端面１ａにインクジェット方式により導電性材料から成る電極が形成されていてもよい。
【００５２】
なお、上記インクジェット方式は、図５に示すように、メインボトル５０のインクを供給ポンプ５１で加圧し、ノズル５２から液柱状に噴出させ、液柱を電歪素子５３の振動で一定の大きさのインク粒子にし、インク粒子１個ごとに帯電電極５４で所定電圧に帯電させ、帯電したインク粒子を、偏向電極５５間の通過時に帯電量に応じた偏向を受け、上端面１ａに到達する。上端面１ａに到達しないインク粒子はガター５６で捕えて回収ポンプ５７でメインボトル５０に回収する。サブボトル５８は使用インク量をメインボトル５０に補給し、補力液５９は濃度を一定に保つようにメインボトル５０に補給する。
【００５３】
本実施の形態では、図３に示すように、窓ガラス１の上端面１ａに設けられた電極２は導電性接着剤３８を介して導電性端子３９と接続されているが、これに限定されるものではなく、例えば、図６に示すように、窓ガラス１の上端面１ａの近傍にダイヤモンド工具であるコアドリルを用いて貫通孔６０をあけ、貫通孔６０の内面６０ａに導電性クリップ形状部６１の両端部６１ａを引っ掛け、導電性端子６３を貫通孔６０に挿通し、導電性クリップ形状部６１を電極２及び導電性端子６３に導通するように構成してもよい。なお、両端部６１ａのバネ機能は導電性端子６３との接続を良好にする。また、クリップ形状部６１は電極２と接触する凸形状の接触部６１ｂを有し、この凸形状の接触部６１ｂは電極２と対向する位置に設けられている。さらに、導電性端子６３には導線５が接続されている。
【００５４】
本実施の形態では、導線５を固定端子４に固定したが、これに限定されるものではなく、導電性端子が窓ガラス１の昇降時に発生する導線５の張力に耐える強度を有していれば、導線５を固定端子に固定しなくてもよい。
【図面の簡単な説明】
【００５５】
【図１】本発明の実施の形態に係る窓ガラスの構成を概略的に示す図である。
【図２】図２は、図１における窓ガラスを説明する断面図であり、（ａ）は窓ガラスの上端面に形成された湾曲状凹部に導電性材料を注入する方法を説明する図であり、（ｂ）は窓ガラスの上端面に湾曲状凹部を形成する方法を説明する図であり、（ｃ）は窓ガラスの上端面に湾曲状凹部を形成する他の方法を説明する図である。
【図３】図２における電極から取り出す電極取出装置の構成を概略的に示す断面図である。
【図４】図２の窓ガラスの変形例の構成を概略的に示す図である。
【図５】インクジェット方式を説明する図である。
【図６】図３の電極取出装置の変形例の構成を概略的に示す断面図である。
【図７】従来のウインドレギュレータの構成を概略的に示すブロック図である。
【図８】従来の窓ガラスの構成を概略的に示す図である。
【図９】従来の窓ガラスの他の構成を概略的に示す図である。
【図１０】従来の窓ガラスのさらに他の構成を概略的に示す図である。
【図１１】従来の窓ガラスのさらに他の構成を概略的に示す図である。
【図１２】従来の窓ガラスのさらに他の構成を概略的に示す図である。
【符号の説明】
【００５６】
１  窓ガラス
１ａ  上端面
１ｂ  湾曲状凹部
２  電極
３７  電極取出装置
３８  導電性接着剤
３９  導電性端子
【図１】
2007137091.tif 000003
【図２】
2007137091.tif 000004
【図３】
2007137091.tif 000005
【図４】
2007137091.tif 000006
【図５】
2007137091.tif 000007
【図６】
2007137091.tif 000008
【図７】
2007137091.tif 000009
【図８】
2007137091.tif 000010
【図９】
2007137091.tif 000011
【図１０】
2007137091.tif 000012
【図１１】
2007137091.tif 000013
【図１２】
2007137091.tif 000014